(57)【特許請求の範囲】
【請求項１】
芯内筒１と芯外筒２とで構成する芯収容筒３の間隙に芯４を上下動自在に取付け、
該芯収容筒３の外方に隣接して空気室５を設け、
この空気室５には、空気室５と外気とを連通する空気流通孔８と、空気室５と芯収容筒３の間隙内とを連通する通気口９を設け、
該空気室５内には、芯上下装置６と、この芯上下装置６によって前記芯４の外方で回動する芯筒７とを設け、
前記芯４は回動する芯筒７によって上下動すると共に、
この上下する芯４の上端は、燃焼位置と通常消火位置では前記通気口９よりも高く位置し、更に芯下げした急速消火位置では前記通気口９よりも低く位置しており、
前記芯４の上下動と連動して空気流通孔８を開閉する開閉弁１０を設けた石油燃焼器において、
芯４の上下動と連動して可動する開閉弁１０は、前記空気流通孔８を芯４の燃焼位置と緊急消火位置で開口し、通常消火位置で閉止することを特徴とする石油燃焼器の消火装置。
【請求項２】
前記空気流通孔８は複数個の小孔８ａで構成し、該小孔８ａは前記芯４の上下動と連動して可動する開閉弁１０が、複数個の小孔８ａを一緒に開閉できる位置に設けたことを特徴とする請求項１記載の石油燃焼器の消火装置。
【請求項３】
前記空気流通孔８を構成する複数個の小孔８ａは上下に配置すると共に、前記開閉弁１０は芯筒７に取付けて空気室５の外壁の内側に密接しながら芯筒７と一緒に回動する遮閉板１０ａで構成し、通常消火位置に回動する遮閉板１０ａによって小孔８ａを閉止することを特徴とする請求項１記載の石油燃焼器の消火装置。
【発明の詳細な説明】
【０００１】
【産業上の利用分野】
この発明は石油燃焼器を確実に消火する為の消火装置の構造に関するものである。
【０００２】
【従来の技術】
石油燃焼器の消火装置として、芯収容筒の間隙に芯を上下動自在に取付け、芯収容筒の外方に隣接して空気室を設け、石油燃焼器の使用中に空気室内に石油ガスを拡散させ、緊急消火時に芯を芯収容筒の間隙と空気室とを連通する通気口よりも下方に降下させると、空気流通孔から空気室に流入する空気と石油ガスとの混合ガスを作り、空気室内の石油ガスが芯の先端の炎によってこの混合ガスに引火して爆発的に燃焼し、発生した燃焼ガスによって芯の先端の炎を吹き消して急速消火する構造が知られている。
【０００３】
上記の急速消火構造は、地震等の非常時に自動消火装置を作動させる緊急消火装置として有効であるが、急速に消火させた為に多量の未燃ガスが放出されて悪臭を発生するものであった。この為、自動消火装置を作動させる必要のない通常消火時には急速消火しないように芯の降下位置を通気口よりも高い位置に設定して未燃ガスを燃焼させながら温度を下げていき、消火時間を長くする方法によって悪臭のない消火をねらったものがある。
【０００４】
【発明が解決しようとする課題】
ところで空気流通孔は急速消火の為にある程度の開口面積が必要であり、燃焼中に空気流通孔が開口したままで、石油燃焼器に吹き付ける風が直接空気流通孔に向かう時は、燃焼部のドラフトに対して空気室から燃焼部に流入する空気が異常に多くなって燃焼状態が悪化することがあった。
【０００５】
また、芯が芯収容筒内を上下動する為に、芯と芯収容筒とは密着できずに隙間が生じてしまうので、通常消火時に空気流通孔から空気室に流入する空気が芯と芯収容筒との隙間を通って芯の上端に流れるものであり、この空気量が多い時や小燃焼によって芯収容筒が高温となって芯からの灯油の気化量が多い時には、芯の上方で燃焼が促進されて消火時間が異常に長くなったり、消火不能となる恐れがあった。
【０００６】
この為の対策として空気流通孔を閉止するように取付けた開閉弁と、芯筒と一緒に回動して開閉弁を駆動するカム板とを設けたものがあり、燃焼中と通常消火位置ではカム板が開閉弁から離れて空気流通孔を閉止し、芯筒が急速消火の芯降下位置まで回動した時にカム板によって開閉弁が押し開かれ、空気流通孔を開口する構造となっている。
【０００７】
この構造によって空気流通孔は燃焼中に閉止されるので、燃焼中に風が吹き付けても安定した燃焼状態を保つことができる。また、通常消火時にも空気流通孔を閉止することによって空気室に空気が流入しないので、芯の先端に残る炎が徐々に小さくなって自然消火するものとなっている。
【０００８】
しかし、燃焼中に空気流通孔を閉止することによって空気流通孔から空気が流入する恐れがなくなったものの、小燃焼中のドラフトが弱い時には石油ガスが空気室にとどまりやすく、空気室へ空気が流入しない為に空気室内の石油ガスの濃度が濃くなりすぎることがあり、急速消火の為に空気流通孔を開閉弁によって開口しても、空気室内は爆発的に引火燃焼する為の混合比まで薄められない時があり、緊急消火が不利となることがあった。
【０００９】
【課題を解決するための手段】
この発明は上記の課題を解決する為に、芯内筒１と芯外筒２とで構成する芯収容筒３の間隙に芯４を上下動自在に取付け、該芯収容筒３の外方に隣接して空気室５を設け、この空気室５には、空気室５と外気とを連通する空気流通孔８と、空気室５と芯収容筒３の間隙内とを連通する通気口９を設け、該空気室５内には、芯上下装置６と、この芯上下装置６によって前記芯４の外方で回動する芯筒７とを設け、前記芯４は回動する芯筒７によって上下動すると共に、この上下する芯４の上端は、燃焼位置と通常消火位置では前記通気口９よりも高く位置し、更に芯下げした急速消火位置では前記通気口９よりも低く位置しており、前記芯４の上下動と連動して空気流通孔８を開閉する開閉弁１０を設けた石油燃焼器において、芯４の上下動と連動して可動する開閉弁１０は、前記空気流通孔８を芯４の燃焼位置と緊急消火位置で開口し、通常消火位置で閉止する構造としている。
【００１０】
また、前記空気流通孔８は複数個の小孔８ａで構成し、該小孔８ａは前記芯４の上下動と連動して可動する開閉弁１０が、複数個の小孔８ａを一緒に開閉できる位置に設けたから、空気流通孔８は急速消火に必要な開口面積を維持すると共に、燃焼中に空気流通孔８を開口しても小孔８ａによって空気流通孔８を通過する空気を規制できるものとなった。
【００１１】
また、前記空気流通孔８を構成する複数個の小孔８ａは上下に配置すると共に、前記開閉弁１０は芯筒７に取付けて空気室５の外壁の内側に密接しながら芯筒７と一緒に回動する遮閉板１０ａで構成し、通常消火位置に回動する遮閉板１０ａによって小孔８ａを閉止するので、簡単な構造で開閉弁１０を構成でき、空気流通孔８は確実に開閉できるものとなった。
【００１２】
【作用】
緊急時に石油燃焼器を急速消火させる為には、芯４を通気口９よりも低い位置に降下すると共に、開閉弁１０によって空気流通孔８を開口し、空気室５内に芯４の炎で引火できる濃度の混合ガスを短時間で作る必要がある。この発明では燃焼中に空気流通孔８を開口するように設定したから、燃焼中に空気室５内に拡散する石油ガスと空気流通孔８から流入する空気とによって混合ガスが作られており、緊急消火時に芯４が通気口９よりも低い位置に降下すると空気室５内に拡散する混合ガスが芯４の先端の炎ですぐに引火するから、芯４の降下とほぼ同時に急速消火できるものとなった。
【００１３】
また、通常消火時には臭気の発生を抑える為に芯４の降下位置を通気口９よりも高い位置に設定しているが、空気室５に空気が流入しないように開閉弁１０によって空気流通孔８を閉止するので、この空気流通孔８から芯４に空気が供給されることがなく、芯４からの灯油の気化が抑えられてゆっくりと自然消火するものである。
【００１４】
また、空気流通孔８を複数個の小孔８ａで形成することによって、小孔８ａの合計の断面積は大きいので、流速が遅い時には一定の空気量の流入は可能であり、石油燃焼器の燃焼中に空気流通孔８に向かって流速の速い風が吹き付けた時は、小孔８ａによって抵抗を受けて空気流通孔８から空気室５内へ流入しようとする空気が遮られ、供給される空気量は大きく変化しないから安定した燃焼状態を保つことができるものとなった。
【００１５】
更に、複数個の小孔８ａを上下に配置し、芯筒７と一緒に回動する遮閉板１０ａで小孔８ａを開閉することによって開閉弁１０を構成すれば、回動する遮閉板１０ａは複数個の小孔８ａを一緒に開閉できるので、通常消火と急速消火との間の芯筒７の回動範囲が狭い状態であっても遮閉板１０ａは確実に小孔８ａを開閉できるものとなった。
【００１６】
【実施例】
図に示す実施例によってこの発明を説明すると、１１は石油燃焼器の油タンク、１は油タンク１１から立設した芯内筒、２は油タンク１１の上面に取付けた芯外筒、３は芯内筒１と芯外筒２とで構成する芯収容筒、４は芯収容筒３の間隙に上下動自在に取付けた芯であり、該芯４の下部は油タンク１１の燃料に浸漬され、油タンク１１の燃料は芯４の下部で吸上げられて芯４の上方に供給される。
【００１７】
６は芯４を上下動する為の芯上下装置、１２は図示せざる芯上下つまみによって回動する芯上下軸、１３は芯上下軸１２の先端に設けたピニオンギア、７は芯４の外方に装置した芯筒、１４は芯筒７に取付けたラックギアであり、芯上下装置６は芯上下軸１２とピニオンギア１３とラックギア１４とによって構成している。１５は芯４から芯筒７にのぞませた駆動ピンで、芯上下軸１２を回動するとピニオンギア１３と噛合するラックギア１４が駆動し、ラックギア１４と一緒に回動する芯筒７は駆動ピン１５によって芯４を上下動する。
【００１８】
１６は芯収容筒３の上方に載架した燃焼筒であり、石油燃焼器を燃焼する為に芯上下装置６によって芯４を上動して芯４の上端を芯収容筒３の上方へ突出し、点火ヒータなどの点火装置によって点火すると、芯４の下方で吸上げられた燃料が芯４の上端で燃焼を開始し、発生する燃焼炎と燃焼ガスは燃焼筒１６とその上方で燃焼を終了する。
【００１９】
５は芯外筒２から連続して芯収容筒３の外方に形成した空気室であり、前記芯上下装置６は空気室５内に収納している。８は空気室５と外気とを連通する空気流通孔、９は芯収容筒３の間隙と空気室５とを連通する通気口であり、消火操作時に芯４の先端が通気口９よりも低い位置に降下する。
【００２０】
１０は空気流通孔８に設けた開閉弁であり、該開閉弁１０は芯４の上下動と連動して燃焼中に空気流通孔８を閉止し、消火操作時に空気流通孔８を開口する。この為、燃焼中は空気流通孔８から空気室５内への空気の流入を防ぐので、石油燃焼器に風が吹きつけても空気室５から燃焼部に空気が流入しないので、燃焼部の空気流量の増加がなく燃焼状態は安定する。この時、芯４から蒸発する石油ガスの一部は通気口９を通って空気室５内に拡散している。
【００２１】
一方、消火操作時には開閉弁１０によって空気流通孔８が開口するので、空気流通孔８から空気室５内に空気が流入して空気室５内の石油ガスと混合し、この混合ガスが燃焼可能な混合比まで薄められると、通気口９よりも低い位置に降下した芯４の先端の炎によって空気室５内の混合ガスに引火して空気室５内で爆発的に燃焼し、発生した燃焼ガスが通気口９から芯収容筒３の間隙へ入る時の風圧で芯４の先端の炎を吹き消して急速消火する。
【００２２】
ところで、最近の石油燃焼器は地震などの緊急時に自動消火装置を作動して急速消火させる必要があり、上記の消火構造はこの緊急時の消火方法として有効であるが、急速消火した時に芯４から多量の未燃ガスが放出されるので悪臭を発生する欠点があり、手動で行なう通常消火の時にも急速消火すると悪臭を発生するので、通常消火時には消火時間を長くして悪臭を発生させない消火装置が好まれる。
【００２３】
この為、通常消火時には空気室５内で爆発的に燃焼が起きないように芯４の降下位置を通気口９よりも高い位置に設定し、芯収容筒３の間隙内に引き込まれた芯４の先端の炎はすぐに消えずに未燃ガスを燃焼しながら徐々に炎が小さくなっていき、ゆっくりと消火する方法によって悪臭のない消火を行なっている。この時、開閉弁１０は空気流通孔８を閉止したままであり、空気室５から芯４の上方に空気が供給されないから、芯４からの灯油の気化が抑えられて消火時間が異常に長くなったり、消火不能となる恐れがない。
【００２４】
しかし、燃焼中に空気流通孔８を閉止する構造は、特に小燃焼時には芯収容筒３が高温となっており、燃焼部のドラフトが弱い為に芯収容筒３の間隙内で気化した石油ガスは芯４の上方に流れることができずに空気室５内に拡散して石油ガスの濃度が濃くなることがある。この為、急速消火の際に空気流通孔８が開口しても、高温となっている芯収容筒３によって引き続いて芯４から気化が行なわれ、空気流通孔８から流入する空気によって空気室５内の石油ガスが芯４の先端の炎で引火する混合比に薄められるまでに時間がかかるので、すぐに消火できない欠点があった。
【００２５】
この発明では急速消火時に空気流通孔８を開口する開閉弁１０が燃焼中にも空気流通孔８を開口する構成としたので、燃焼中に空気室５内に空気が流入して混合ガスを薄めている。この為、小燃焼時でも空気室５内の混合ガスが濃くならないので、緊急消火時に空気室５内の混合ガスは空気流通孔８からの少量の空気の流入ですぐに芯４の先端の炎で引火する混合比になり、芯４の降下とほぼ同時に急速消火が可能となった。
【００２６】
一方、燃焼中に空気流通孔８が開口していると石油燃焼器に風が吹き付けた時に空気流通孔８から流入する空気によって燃焼状態を悪化させる恐れがあり、防風手段を追加しなければならなくなる。この発明の実施例において８ａは空気流通孔８を形成する複数個の小孔であり、該小孔８ａの合計の断面積は必要とする空気流通孔８の断面積に匹敵している。この為、燃焼中に小孔８ａを通過する空気は流速が遅い時は抵抗が小さく、一定量の流速が得られるものの、石油燃焼器に風が吹き付けた時の流速の速い空気では、小孔８ａによって抵抗を受ける為に空気室５内の流量の増加ができにくいので、空気量はわずかに増加するだけで石油燃焼器は安定した燃焼状態を保つことができる。
【００２７】
具体的な実施例として、１０ａは空気室５内の芯筒７に取付けた遮閉板、１０ｂは該遮閉板１０ａと芯筒７との間に設けたバネ材であり、該遮閉板１０ａはバネ材１０ｂによって付勢されて空気室５の外壁の内側に密接し、芯筒７と一緒に回動する。該遮閉板１０ａは通常消火位置で小孔８ａに密接し、芯筒７が燃焼位置と緊急消火位置に回動した時に小孔８ａを外れるので、空気流通孔８を開閉する為の開閉弁１０を構成することができた。
【００２８】
一方、空気流通孔８を構成する複数個の小孔８ａは上下一列に配置すれば、遮閉板１０ａの駆動によって全ての小孔８ａが同時に開閉するので、芯筒７の回動範囲が狭い状態でも小孔８ａの幅だけ駆動すればよく、この時小孔８ａの直径は小さいので、遮閉板１０ａは通常消火から急速消火までの短い駆動距離の間でも確実に小孔８ａを開閉できるものとなった。
【００２９】
【発明の効果】
以上のようにこの発明では燃焼中に開閉弁１０が空気流通孔８を開口する構成としたので、燃焼中は常に空気流通孔８から空気室５内に空気が流入して小燃焼時にも混合ガスが濃くならない。この為、緊急消火時に空気流通孔８から流入する空気によってすぐに芯４の先端の炎で引火する混合状態となり、芯４の降下とほぼ同時に急速消火するので、燃焼状態に関係なく緊急時の安全性を向上することができた。
【００３０】
一方、通常消火時には悪臭の発生を抑える為に空気室５内の混合ガスが爆発的に燃焼しないように芯４は通気口９よりも高い位置まで降下するが、この時は開閉弁１０によって空気流通孔８を閉止する構成としたので、、空気流通孔８から空気が流入して芯４の上方に供給されることがなく、芯４から気化するガスの発生を抑えて確実に自然消火するから、安定した消火性能を実現できるものとなった。
【００３１】
また、空気流通孔８を複数個の小孔８ａで形成したので、燃焼中に小孔８ａを通過する空気の流速は遅くなり、石油燃焼器に風が吹き付けた時の流速の速い空気流は小孔８ａによって抵抗を受けて空気室５内へ流入しようとする空気が遮られ、小孔８ａの合計の断面積は空気流通孔８の断面積に匹敵するので流速が遅くとも一定の空気量の流入は可能となり、供給される空気量は変化しないから安定した燃焼状態を保つことができ、燃焼中に空気流通孔８を開口する構造が実現できたものである。
【００３２】
更に、複数個の小孔８ａを上下に配置し、芯筒７と一緒に回動する遮閉板１０ａで小孔８ａを開閉すれば、芯筒７の回動範囲が狭い状態でも全ての小孔８ａを一緒に開閉するので、遮閉板１０ａは燃焼時と急速消火時の間にある通常消火の芯降下位置であっても空気流通孔８を確実に開閉することができる。また、空気流通孔８には弁を設ける必要がなく、遮閉板１０ａが回動するだけの簡単な構造で開閉弁１０を構成できるものとなった。
【図面の簡単な説明】
【図１】この発明の実施例を示す石油燃焼器の通常消火の状態を表す縦断面図である。
【図２】この発明の実施例を示す石油燃焼器の通常消火の状態を表す横断面図である。
【図３】この発明の実施例を示す石油燃焼器の緊急消火の状態を表す横断面図である。
【符号の説明】
１    芯内筒
２    芯外筒
３    芯収容筒
４    芯
５    空気室
６    芯上下装置
７    芯筒
８    空気流通孔
８ａ  小孔
９    通気口
１０    開閉弁
１０ａ  遮閉板
【図１】
0003780781.tif 000002
【図２】
0003780781.tif 000003
【図３】
0003780781.tif 000004